(57)【要約】【課題】伝える必要がない情報については相手に伝えず、伝えたい情報のみを自らの意志に従って、解り易く相手に伝える。【解決手段】電子機器１０ａは、ユーザの指示を受け付ける指示受付部１００ａ、１１０aと、上記指示に対応付けて電子機器１０ｂに表示される動画像の動きを制御する制御情報を記憶する記憶部１９０ａと、受け付けられた指示に対応する制御情報を選択する制御情報選択部１２０ａと、選択された制御情報を電子機器１０ｂに送信する送信部１３０ａとを有する。電子機器１０ｂは、電子機器１０ａのユーザを示す動画像を記憶する記憶部１９０ｂと、動画像を表示する表示部１１０ｂと、電子機器１０ａから制御情報を受信する受信部１３０ｂと、制御情報に従って表示部１１０ｂに表示された動画像における動きを制御する制御部１２０ｂとを有する。【選択図】図３
2012114897.tif 000002
【特許請求の範囲】
【請求項１】
第１の電子機器と第２の電子機器とを備える通信システムにおいて、
前記第１の電子機器は、
ユーザの指示を受け付ける指示受付部と、
前記指示に対応付けて、前記第２の電子機器に表示される動画像の動きを制御する制御情報を記憶する記憶部と、
前記指示受付部によって受け付けられた前記指示に対応する前記制御情報を選択する制御情報選択部と、
前記制御情報選択部によって選択された前記制御情報を前記第２の電子機器に送信する送信部と
を有し、
前記第２の電子機器は、
前記第１の電子機器のユーザを示す動画像を記憶する記憶部と、
前記記憶部に記憶されている前記動画像を表示する表示部と、
前記第１の電子機器から送信された前記制御情報を受信する受信部と、
前記受信部によって受信された前記制御情報に従って、前記表示部に表示された前記動画像における動きを制御する制御部と
を有することを特徴とする通信システム。
【請求項２】
請求項１に記載の通信システムにおいて、
前記指示は、前記動画像における動きを利用して、前記第１の電子機器のユーザの心理状態を前記第２の電子機器のユーザに伝えるための指示であって、
前記第２の電子機器の前記制御部は、前記受信部が、前記第１の電子機器のユーザの心理状態を伝えるための前記指示に応じた前記制御情報を受信した場合、前記第１の電子機器のユーザの当該心理状態を表現するように、前記動画像における動きを制御することを特徴とする通信システム。
【請求項３】
自身の心理状態を他の電子機器のユーザに伝えるための指示を受け付ける指示受付部と、
前記指示受付部によって受け付ける前記指示に対応付けて前記他の電子機器に表示される動画像の動きを制御する制御情報を記憶する記憶部と、
前記指示受付部によって受け付けられた前記指示に対応する前記制御情報を選択する制御情報選択部と、
前記制御情報選択部によって選択された前記制御情報を前記他の電子機器に送信する送信部と
を備えることを特徴とする電子機器。
【請求項４】
他の電子機器のユーザを示す動画像を記憶する記憶部と、
前記記憶部に記憶されている前記動画像を表示する表示部と、
前記他の電子機器において生成された制御情報であって前記他の電子機器のユーザの心理状態に対応する制御情報を受信する受信部と、
前記受信部によって受信された前記制御情報に従って、前記他の電子機器のユーザの心理状態を表現するように、前記動画像における動きを制御する制御部と
を備えることを特徴とする電子機器。
【発明の詳細な説明】
【技術分野】
【０００１】
本発明は、通信システムおよび電子機器に関するものである。
【背景技術】
【０００２】
従来、音声、画像および文字のみならず、送信装置から受信装置に体温、脈拍などの生体情報を伝達する技術が開示されている（例えば、特許文献１参照）。
【先行技術文献】
【特許文献】
【０００３】
【特許文献１】特開２００６−５９４５号公報
【発明の概要】
【発明が解決しようとする課題】
【０００４】
しかしながら、特許文献１に開示された技術は、送信側のユーザの意志とは無関係に送信側のユーザの生体情報を検出し受信側に送信する技術であるため、相手に伝えたい情報（例えば、伝えたい自身の気持ち）を自らの意志に基づいて伝えることができないという問題、或いは、相手に伝える必要のない情報（例えば、知られたくない自身の気持ち）が自らの意志に反して伝わってしまうという問題がある。
本発明は、上記問題に鑑みてなされたものであり、伝える必要がない情報については相手に伝えず、伝えたい情報のみを自らの意志に従って、解り易く相手に伝えることができる通信システムおよび電子機器を提供する。
【課題を解決するための手段】
【０００５】
上記問題を解決するために、本発明の一態様である通信システムは、第１の電子機器と第２の電子機器とを備える通信システムにおいて、前記第１の電子機器は、ユーザの指示を受け付ける指示受付部と、前記指示に対応付けて、前記第２の電子機器に表示される動画像の動きを制御する制御情報を記憶する記憶部と、前記指示受付部によって受け付けられた前記指示に対応する前記制御情報を選択する制御情報選択部と、前記制御情報選択部によって選択された前記制御情報を前記第２の電子機器に送信する送信部とを有し、前記第２の電子機器は、前記第１の電子機器のユーザを示す動画像を記憶する記憶部と、前記記憶部に記憶されている前記動画像を表示する表示部と、前記第１の電子機器から送信された前記制御情報を受信する受信部と、前記受信部によって受信された前記制御情報に従って、前記表示部に表示された前記動画像における動きを制御する制御部とを有することを特徴とする。
【０００６】
上記通信システムにおいて、前記指示は、前記動画像における動きを利用して、前記第１の電子機器のユーザの心理状態を前記第２の電子機器のユーザに伝えるための指示であって、前記第２の電子機器の前記制御部は、前記受信部が、前記第１の電子機器のユーザの心理状態を伝えるための前記指示に応じた前記制御情報を受信した場合、前記第１の電子機器のユーザの当該心理状態を表現するように、前記動画像における動きを制御する
ようにしてもよい。
【０００７】
上記問題を解決するために、本発明の一態様である電子機器は、自身の心理状態を他の電子機器のユーザに伝えるための指示を受け付ける指示受付部と、前記指示受付部によって受け付ける前記指示に対応付けて前記他の電子機器に表示される動画像の動きを制御する制御情報を記憶する記憶部と、前記指示受付部によって受け付けられた前記指示に対応する前記制御情報を選択する制御情報選択部と、前記制御情報選択部によって選択された前記制御情報を前記他の電子機器に送信する送信部とを備えることを特徴とする。
【０００８】
上記問題を解決するために、本発明の一態様である電子機器は、他の電子機器のユーザを示す動画像を記憶する記憶部と、前記記憶部に記憶されている前記動画像を表示する表示部と、前記他の電子機器において生成された制御情報であって前記他の電子機器のユーザの心理状態に対応する制御情報を受信する受信部と、前記受信部によって受信された前記制御情報に従って、前記他の電子機器のユーザの心理状態を表現するように、前記動画像における動きを制御する制御部とを備えることを特徴とする。
【発明の効果】
【０００９】
本発明によれば、伝える必要がない情報については相手に伝えず、伝えたい情報のみを自らの意志に従って、解り易く相手に伝えることができるようになる。
【図面の簡単な説明】
【００１０】
【図１】本発明の一実施形態による通信システム１を構成する通信機器１０の機能ブロック図である。
【図２】メモリ１９０に記憶されている情報の一例、および動画像の動きの一例である。
【図３】通信システム１の構成図である。
【図４】通信システム１の動作の一例を示すフローチャートである。
【図５】メモリ１９０に記憶する情報の他の一例である。
【発明を実施するための形態】
【００１１】
以下、図面を参照しながら本発明の第１の実施形態について説明する。図１は、本発明の一実施形態による通信システム１を構成する通信機器（電子機器）１０の機能ブロック図である。図２は、メモリ１９０に記憶されている情報の一例、および動画像の動きの一例である。
【００１２】
通信機器１０は、図１に示すように、センサ１００、ディスプレイ１１０、ＣＰＵ１２０、通信部１３０およびメモリ１９０を備える。
【００１３】
センサ１００は、ユーザの指示（動作）を受け付ける。センサ１００は、特に、限定するものではないが、例えば、加速度センサ、感圧センサなどである。例えば、加速度センサであるセンサ１００は、ユーザが筐体を振った動作を検出し、当該動作をユーザの指示として受け付ける。また例えば、感圧センサであるセンサ１００は、ユーザが筐体の所定の部分を押さえた動作を検出し、当該動作をユーザの指示として受け付ける。なお、上述の指示は、例えば、自身の心理状態を通信相手（他の通信機器１０のユーザ）に伝えるための指示である。
【００１４】
ディスプレイ１１０は、ユーザに種々の情報を表示する。ディスプレイ１１０は、通信相手を示す動画像を表示する。通信相手を示す動画像とは、当該通信相手を特定し得る動画像であって、例えば、通信相手の顔、上半身、全身のアニメーションである。なお、ディスプレイ１１０は、特に限定するものでないが、例えば、ユーザの指示（入力）を受け付けるタッチパネルであってもよい。
【００１５】
メモリ１９０は、種々の情報を記憶する。例えば、ディスプレイ１１０に表示するための動画像を記憶する。具体的には、メモリ１９０は、当該通信機器１０に表示するための通信相手を示す動画像、および、通信相手の通信機器１０に表示するための自身を示す動画像を記憶する。なお、通信相手を示す動画像は、例えば、通信相手の通信機器１０との通信によって取得する。
【００１６】
図２（ａ）は、メモリ１９０に記憶されている動画像の一例である。図２（ａ）に示す例において、メモリ１９０は、ユーザを識別するユーザＩＤ「Ｕ００１」に対応付けて当該ユーザＩＤのユーザの特徴を捉えた動画像（丸顔）を記憶し、ユーザＩＤ「Ｕ００２」に対応付けて当該ユーザＩＤのユーザの特徴を捉えた動画像（四角形顔）を記憶している。なお、図２（ａ）において矢印は動画像の動きを表している。例えば、ユーザＩＤ「Ｕ００１」の動画像は、画像Ａと画像Ｂとの間を変化する動きとなっている。
【００１７】
また、メモリ１９０は、ユーザの指示（動作／入力）に対応付けて、通信相手の通信機器１０に表示される動画像（即ち、自身を示す動画像）の動きを制御する制御情報を記憶する。
【００１８】
図２（ｂ）は、メモリ１９０に記憶されている制御情報の一例である。図２（ｂ）に示す例において、メモリ１９０は、ユーザの指示を識別する指示ＩＤ「Ｓ０１」に対応付けて動画像に謝る動きをさせる制御情報Ｎｏ１、ユーザの指示を識別する指示ＩＤ「Ｓ０２」に対応付けて動画像に悲しむ動きをさせる制御情報Ｎｏ２を記憶している。なお、謝る動きとは、例えば、図２（ｃ）に示すような動きである。また、悲しむ動きとは、例えば、図２（ｄ）に示すような動きである。
【００１９】
ＣＰＵ１２０は、ユーザの指示（動作／入力）に対応する制御情報を選択する。例えば、ＣＰＵ１２０は、センサ１００から指示ＩＤ「Ｓ０１」を取得した場合、メモリ１９０を参照し、指示ＩＤ「Ｓ０１」に対応付けられている制御情報Ｎｏ１（謝る動き）を選択し、センサ１００から指示ＩＤ「Ｓ０２」を取得した場合、メモリ１９０を参照し、指示ＩＤ「Ｓ０２」に対応付けられている制御情報Ｎｏ２（悲しむ動き）を選択する。
【００２０】
また、ＣＰＵ１２０は、通信相手の通信機器１０から受信した制御情報に従って、当該通信相手の動画像における動きを制御する。例えば、通信相手の動画像をディスプレイ１１０に表示している場合に、当該通信相手の通信機器１０から制御情報Ｎｏ１（謝る動き）を受信した場合には、ＣＰＵ１２０は、通信相手の動画像に謝る動きをさせる。
なお、ＣＰＵ１２０は、例えば、基礎となる画像（例えば、一の撮像画像）に対し、経時的に、制御情報に基づく座標変換等々の画像処理を施すことによって、ディスプレイ１に表示されている動画像が制御情報に応じて動くように制御する。
【００２１】
通信部１３０は、種々の情報を送受信する。具体的には、通信部１３０は、ＣＰＵ１２０が選択した制御情報を通信相手の通信機器１０に送信する。また、通信部１３０は、通信相手の通信機器１０から送信された制御情報を受信する。また、通信部１３０は、自身を示す動画像を通信相手の通信機器１０に送信し、通信相手の通信機器１０から当該通信相手を示す動画像を受信する。なお、通信部１３０による通信方法は特に限定しないが、例えば、インターネット（ＴＣＰ／ＩＰ）、近距離無線通信などであってもよい。
【００２２】
続いて、通信システム１について説明する。図３は、通信システム１の構成図である。通信システム１は、図３に示すように、少なくとも２台の通信機器１０ａ、１０ｂから構成されている。通信機器１０ａおよび通信機器１０ｂは、何れも図１に示す通信機器１０である。なお、図３においては、説明の便宜上、通信機器１０ａを送信側、通信機器１０ｂを受信側としているが、通信機器１０ａと通信機器１０ｂの構成は同一であるため、送信側、受信側が逆であっても同様である。
【００２３】
送信側である通信機器１０ａは、指示受付部１００ａ（センサ１００、ディスプレイ１１０）、制御情報選択部１２０ａ（ＣＰＵ１２０）、制御情報送信部（送信部）１３０ａ（通信部１３０）および制御情報記憶部（記憶部）１９０ａ（メモリ１９０）を備える。受信側である通信機器１０ｂは、動画像表示部（表示部）１１０ｂ（ディスプレイ１１０）、動画像制御部（制御部）１２０ｂ（ＣＰＵ１２０）、制御情報受信部（受信部）１３０ｂ（通信部１３０）、動画像記憶部（記憶部）１９０ｂ（メモリ１９０）を備える。
【００２４】
通信機器１０ａにおいて、制御情報記憶部１９０ａは、ユーザの指示（動作／入力）に対応付けて、通信機器１０ｂに表示される動画像の動きを制御する制御情報を記憶する。具体的には、制御情報記憶部１９０ａは、指示ＩＤに対応付けて制御情報を記憶する（図２（ｂ）参照）。
【００２５】
通信機器１０ａにおいて、指示受付部１００ａは、ユーザの指示（動作／入力）を受け付ける。例えば、動画像における動きを利用して、通信機器１０ａのユーザの心理状態を通信機器１０ｂのユーザに伝えるための指示を受け付ける。ユーザの指示を受け付けた指示受付部１００ａは、当該指示を識別する指示ＩＤを制御情報選択部１２０ａに出力する。
【００２６】
通信機器１０ａにおいて、制御情報選択部１２０ａは、指示ＩＤを指示受付部１００ａから取得する。指示ＩＤを取得した制御情報選択部１２０ａは、制御情報記憶部１９０ａを参照し、当該指示に対応する制御情報を選択する。制御情報を選択した制御情報選択部１２０ａは、当該制御情報を制御情報送信部１３０ａに出力する。
【００２７】
通信機器１０ａにおいて、制御情報送信部１３０ａは、制御情報を制御情報選択部１２０ａから取得する。制御情報を取得した制御情報送信部１３０ａは、当該制御情報を通信機器１０ｂに送信する。
【００２８】
通信機器１０ｂにおいて、動画像記憶部１９０ｂは、通信機器１０ａのユーザを示す動画像を記憶する。具体的には、制御情報記憶部１９０ｂは、通信機器１０ａのユーザのユーザＩＤに対応付けて、通信機器１０ａのユーザを示す動画像を記憶する（図２（ｂ）参照）。
【００２９】
通信機器１０ｂにおいて、動画像表示部１１０ｂは、動画像記憶部１９０ｂに記憶されている動画像を表示する。具体的には、通信相手である通信機器１０ａのユーザを示す動画像を表示する。
【００３０】
通信機器１０ｂにおいて、制御情報受信部１３０ｂは、通信機器１０ａから送信された制御情報を受信する。制御情報を受信した制御情報受信部１３０ｂは、当該制御情報を動画像制御部１２０ｂに出力する。
【００３１】
通信機器１０ｂにおいて、動画像制御部１２０ｂは、制御情報を制御情報受信部１３０ｂから取得する。制御情報を取得した動画像制御部１２０ｂは、当該制御情報に従って、動画像表示部１１０ｂに表示された動画像における動きを制御する。具体的には、例えば、動画像制御部１２０ｂは、制御情報受信部１３０ｂが、通信機器１０ａのユーザの一の心理状態を伝えるための一の指示に応じた一の制御情報を受信した場合、通信機器１０ａのユーザの当該一の心理状態を表現するように、動画像における動きを制御する。
【００３２】
例えば、制御情報受信部１３０ｂが、通信機器１０ａのユーザの心理状態（例えば謝罪）を伝えるための指示（通信機器１０ａの筐体を振る動作や、通信機器１０ａの筐体をお辞儀させるように倒す動作）に応じた制御情報（図２（ｂ）では指示ＩＤ「Ｓ０１」）を受信した場合、動画像制御部１２０ｂは、動画像表示部１１０ｂにおいて、通信機器１０ａのユーザを示す動画像を、当該心理状態（謝罪）を表現するように動作させる（図２（ｃ）のように動作させる）。また例えば、制御情報受信部１３０ｂが、通信機器１０ａのユーザの心理状態（例えば悲しみ）を伝えるための指示（ディスプレイにおいて円を描く操作）に応じた制御情報（図２（ｂ）では指示ＩＤ「Ｓ０２」）を受信した場合、動画像制御部１２０ｂは、動画像表示部１１０ｂにおいて、通信機器１０ａのユーザを示す動画像を、当該心理状態（悲しみ）を表現するように動作させる（図２（ｄ）のように動作させる）。
【００３３】
以下、通信システム１の動作について説明する。図４は、通信システム１の動作の一例を示すフローチャートである。なお、図４の左側は送信側である通信機器１０ａの動作、右側は受信側である通信機器１０ｂの動作を示している。なお、本フローチャートの開示時において、通信機器１０ｂの動画像表示部１１０ｂには、通信機器１０ａのユーザの動画像として図２（ａ）に示すユーザＩＤ「Ｕ００１」に対応する動画像（円顔）が表示されているものとする。
【００３４】
図４において、指示受付部１００ａは指示（動作、入力）を受け付ける（ステップＳ１０）。例えば、通信機器１０ａのユーザが通信機器１０ｂのユーザに謝りたいときの指示として、通信機器１０ａの筐体を振る動作を受け付ける。ユーザの指示を受け付けた指示受付部１００ａは、直ちに、当該指示を識別する指示ＩＤを制御情報選択部１２０ａに出力する。例えば、指示受付部１００ａは、通信機器１０ａの筐体を振る動作を識別する指示ＩＤ「Ｓ０１」を制御情報選択部１２０ａに出力する。
【００３５】
指示受付部１００ａから指示ＩＤを取得した制御情報選択部１２０ａは、制御情報記憶部１９０ａを参照し、直ちに、当該指示ＩＤに対応する制御情報を選択する。例えば、制御情報選択部１２０ａは、指示ＩＤ「Ｓ０１」に対応する制御情報Ｎｏ1（謝る動作）を選択する（ステップＳ１２）。そして、制御情報選択部１２０ａは、選択した制御情報を、直ちに、制御情報送信部１３０ａに出力する。そして通信機器１０ａの動作は終了する。
【００３６】
制御情報選択部１２０ａから制御情報を取得した制御情報送信部１３０ａは、当該制御情報を、直ちに、通信機器１０ｂに送信する（ステップＳ１２）。例えば、制御情報送信部１３０ａは、制御情報選択部１２０ａから制御情報Ｎｏ1（謝る動作）を取得し、通信機器１０ｂに送信する。
【００３７】
通信機器１０ｂの制御情報受信部１３０ｂは、通信機器１０ａの制御情報送信部１３０ａから制御情報を受信する（ステップＳ２４）。制御情報を受信した制御情報受信部１３０ｂは、直ちに、当該制御情報を動画像制御部１２０ｂに出力する。例えば、制御情報受信部１３０ｂは、制御情報送信部１３０ａから制御情報Ｎｏ1（謝る動作）を受信し、動画像制御部１２０ｂに出力する。
【００３８】
制御情報受信部１３０ｂから制御情報を取得した動画像制御部１２０ｂは、直ちに、当該制御情報に従って、動画像表示部１１０ｂに表示された動画像における動きを制御する（ステップＳ２６）。制御情報受信部１３０ｂは、制御情報受信部１３０ｂから制御情報Ｎｏ1（謝る動作）を取得し、制御情報Ｎｏ1（謝る動作）に従って、図２（ｃ）に示すように動画像表示部１１０ｂに表示された動画像を制御する（動作させる）。そして通信機器１０ｂの動作は終了する。
【００３９】
以上、本実施形態によれば、伝える必要がない情報については相手に伝えず、伝えたい情報のみを自らの意志に従って、解り易く相手に伝えることができるようになる。例えば、相手に面と向かって謝るのは恥かしいようなときでも、相手の電子機器上に表示されている自分の代役である動画像を利用して解り易く謝る気持ちを伝えることできるようになる。また、上述の如く、各ステップ（ステップＳ１０〜Ｓ２６）は、直ちに、実行されるため、伝えたい情報を直ちに相手に伝えることができる。
【００４０】
なお、上記実施形態では、動画情報制御部１２０ｂ（ＣＰＵ１２０）による動画像の動きの制御方法として、基礎となる画像（例えば、一の撮像画像）に対し、経時的に、制御情報に基づく座標変換等々の画像処理を施す態様を説明したが、動きの制御方法はこれに限定されない。
【００４１】
図５は、メモリ１９０に記憶されている情報の他の一例である。動きの制御方法の他の一例としては、図５に示すように、メモリ１９０にユーザＩＤおよび制御情報に対応付けて動画像を記憶しておき、動画情報制御部１２０ｂは、ユーザＩＤおよび制御情報に対応する動画像をメモリ１９０から選択し、動画像表示部１１０ｂ（ディスプレイ１１０）に表示する方法がある。例えば、通信機器１０ａのユーザのユーザＩＤ「Ｕ００１」、および、制御情報Ｎｏ０（初期値）に対応する動画像を動画像表示部１１０ｂに表示しているときに、通信機器１０ａから制御情報Ｎｏ１（謝る動き）を受信した場合には、動画情報制御部１２０ｂは、ユーザＩＤ「Ｕ００１」および制御情報Ｎｏ１（謝る動き）に対応付けられている動画像をメモリ１９０から選択し、動画像表示部１１０ｂに出力する。
【００４２】
なお、上記実施形態では、通信機器１０ｂの動画像表示部１１０ｂに表示する動画像は動画像記憶部１９０ｂに記憶していたが、動画像表示部１１０ｂに表示する動画像を通信機器１０ａから送信してもよい。さらに、通信機器１０ａから送信された動画像を動画像記憶部１９０ｂに記憶するようにしてもよい。
また、上記実施形態では、通信機器１０ｂの動画像表示部１１０ｂに動画像を表示することで伝えたい情報を伝えていたが、動画像の表示に加えて、通信機器１０ｂに設けた振動子（不図示）を振動させることで伝えたい情報を伝えてもよい。この場合は、「謝る動作」や「喜ぶ動作」に対応させて、それぞれにふさわしい振動パターンを用意しておくのがよい。また、振動の代わりに動画像の表示に音声を加えるようにしてもよい。
【００４３】
なお、本発明の一実施形態による通信機器１０、２０の各処理を実行するためのプログラムをコンピュータ読み取り可能な記録媒体に記録して、当該記録媒体に記録されたプログラムをコンピュータシステムに読み込ませ、実行することにより、通信機器１０、２０の各処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００４４】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００４５】
以上、この発明の実施形態について図面を参照して詳述してきたが、具体的な構成はこの実施形態に限られるものではなく、この発明の要旨を逸脱しない範囲の設計等も含まれる。
【符号の説明】
【００４６】
１…通信システム
１０…通信機器（電子機器）
１００…センサ
１１０…ディスプレイ（指示受付部／動画像表示部）
１２０…ＣＰＵ（制御情報選択部／動画像制御部）
１３０…通信部（制御情報送信部／制御情報受信部）
１９０…メモリ（制御情報記憶部／動画像記憶部）
【図１】
2012114897.tif 000003
【図２】
2012114897.tif 000004
【図３】
2012114897.tif 000005
【図４】
2012114897.tif 000006
【図５】
2012114897.tif 000007